(57)【要約】【課題】  コストをかけずに安全かつ確実に組み立てることができるとともに、容易に分解することができる光源の組立構造およびそれを用いたディスプレイを提供する。【解決手段】  液晶ディスプレイの光源の組立構造は、光源本体２４に電気的に接続された電極２８に電気的に接続された第一の接続部２３と、電線２６の一端に電気的に接続された第二の接続部２５とを備えている。第一の接続部２３は螺子山２３１を有しており、第二の接続部２５は螺子山２３１に螺合して第一の接続部２３に電気的に接続する螺子溝２５０を有している。【選択図】図３
2006114478.tif 000002
【特許請求の範囲】
【請求項１】
光源本体に電気的に接続された電極と、この電極を介して前記光源本体に電力を供給するための電線とを接続して組み立てられる光源の組立構造において、
前記電極に電気的に接続された第一の接続部と、
前記電線の一端に電気的に接続された第二の接続部とを備え、
前記第一の接続部と前記第二の接続部は、螺合して電気的に接続されるように形成されたことを特徴とする光源の組立構造。
【請求項２】
前記光源本体は、冷陰極蛍光管を備えたことを特徴とする請求項１記載の光源の組立構造。
【請求項３】
前記第一の接続部は螺子溝を有し、前記第二の接続部は前記螺子溝に螺合する螺子山を有したことを特徴とする請求項１記載の光源の組立構造。
【請求項４】
前記第二の接続部は螺子溝を有し、前記第一の接続部は前記螺子溝に螺合する螺子山を有したことを特徴とする請求項１記載の光源の組立構造。
【請求項５】
前記第一の接続部と前記第二の接続部とが接続した状態で両接続部を覆う絶縁部材を更に備えたことを特徴とする請求項１記載の光源の組立構造。
【請求項６】
前記絶縁部材は、シリコンゴムを有していることを特徴とする請求項５記載の光源の組立構造。
【請求項７】
ハウジングと、このハウジングの中に設けられたパネルと、前記ハウジングに設けられた光源とを備えたディスプレイにおいて、
前記光源は、
前記ハウジングの中に設けられた光源本体と、
この光源本体に電気的に接続された電極と、
この電極に電気的に接続された第一の接続部と、
この第一の接続部に電気的に接続された第二の接続部と、
この第二の接続部に一端が電気的に接続されて他端側が前記ハウジングから突出した電線とを備え、
前記第一の接続部と前記第二の接続部は螺合するように形成されたことを特徴とするディスプレイ。
【請求項８】
前記第一の接続部はボルトであり、前記第二の接続部は前記ボルトに螺合するナットであることを特徴とする請求項７記載のディスプレイ。
【請求項９】
前記第一の接続部はボルトであり、前記第二の接続部は前記ボルトの螺子山に螺合する螺子溝が内側に設けられたスリーブであることを特徴とする請求項７記載のディスプレイ。
【請求項１０】
前記第一の接続部はナットであり、前記第二の接続部は前記ナットに螺合するボルトであることを特徴とする請求項７記載のディスプレイ。
【請求項１１】
前記第一の接続部と前記第二の接続部が接続した状態で両接続部を覆う絶縁部材を更に備えたことを特徴とする請求項７記載のディスプレイ。
【請求項１２】
前記絶縁部材は、シリコンゴムを有していることを特徴とする請求項１１記載のディスプレイ。
【請求項１３】
前記電極と前記第一の接続部は、溶接によって電気的に接続されたことを特徴とする請求項７記載のディスプレイ。
【請求項１４】
前記電極と前記第一の接続部は、加圧成型によって電気的に接続されたことを特徴とする請求項７記載のディスプレイ。
【請求項１５】
前記電極と前記第一の接続部は、一体成型によって電気的に接続されたことを特徴とする請求項７記載のディスプレイ。
【請求項１６】
前記電線と前記第二の接続部は、溶接によって電気的に接続されたことを特徴とする請求項７記載のディスプレイ。
【請求項１７】
前記電線と前記第二の接続部とは、加圧成型によって電気的に接続されたことを特徴とする請求項７記載のディスプレイ。
【請求項１８】
前記光源本体は、冷陰極蛍光管を備えたことを特徴とする請求項７記載のディスプレイ。
【発明の詳細な説明】
【技術分野】
【０００１】
本発明はディスプレイに関し、特に光源の組立構造に関するものである。
【背景技術】
【０００２】
従来の液晶ディスプレイとしては図５に示すような液晶ディスプレイ１が知られている。この液晶ディスプレイ１は、ハウジング１０と、ハウジング１０の中に設けられたパネル１２と、光源とを備えている。
【０００３】
さらに光源は、図６にも示すようにハウジング１０の中に設けられた光源本体１４と、光源本体１４に電気的に接続された電極１８と、電極１８に電気的に接続された電線１６とを備えている。
【０００４】
電極１８は図７に示すように一部が光源本体１４から突出されている。一方、電線１６ははんだごて（図示せず）を使用して電極１８にはんだ１５で溶接されており、この電極１８を介して光源本体１４に電力を供給している。
【特許文献１】特開２００２−２１８３５４号公報
【発明の開示】
【発明が解決しようとする課題】
【０００５】
しかしながら、このような溶接による電極１８と電線１６の接続方法は以下の欠点を有している。まず、電極１８と電線１６とを接続するのに、はんだごてのような工具を使用しなければならないため、光源の組立にかかるコストが増大する。したがって、液晶ディスプレイ１の製造コストも増大する。
【０００６】
また溶接技術は、熟練した作業者によるかなりの正確さを必要とする。もし作業者が十分に熟練していない場合には、溶接が欠陥のあった不完全なものになる可能性がある。ひどい場合には不完全な冷間溶接がしばしば完全であると誤って検出される可能性があり、欠陥溶接をチェックするためにＸ線などによる試験法が開発されている。
【０００７】
また光源本体１４は薄肉管である。このことから、溶接時に生じる高温によって光源本体１４の電極１８に近い部分に熱が直接伝わる可能性がある。もし光源本体１４が長時間高温にさらされた場合には亀裂または破裂する可能性があり、光源本体１４が冷陰極蛍光管の場合にはガス漏れを引き起こしてしまう。
【０００８】
また電線１６は電極１８に溶接によって接続されている。このことから、もしバックライトユニットに複数の光源が設けられて、そのうちのある光源が壊れた場合には光源本体１４が電線１６に固定されているため、光源を分解してバックライトユニットから取り外すことが非常に難しい。したがって、バックライトユニットを再度組み立てることも難しくなる。
【０００９】
これに鑑みて本発明は、コストをかけずに安全かつ確実に組み立てることができるとともに、容易に分解することができる光源の組立構造およびそれを用いたディスプレイを提供する。
【課題を解決するための手段】
【００１０】
前記課題を解決するために本発明の光源の組立構造においては、光源本体に電気的に接続された電極と、この電極を介して前記光源本体に電力を供給するための電線とを接続して組み立てられる光源の組立構造において、前記電極に電気的に接続された第一の接続部と、前記電線の一端に電気的に接続された第二の接続部とを備え、前記第一の接続部と前記第二の接続部は、螺合して電気的に接続されるように形成されたものとしている。
【００１１】
また本発明の光源の組立構造においては、前記光源本体は、冷陰極蛍光管を備えたものとしている。
【００１２】
また本発明の光源の組立構造においては、前記第一の接続部は螺子溝を有し、前記第二の接続部は前記螺子溝に螺合する螺子山を有したものとしている。
【００１３】
また本発明の光源の組立構造においては、前記第二の接続部は螺子溝を有し、前記第一の接続部は前記螺子溝に螺合する螺子山を有したものとしている。
【００１４】
また本発明の光源の組立構造においては、前記第一の接続部と前記第二の接続部とが接続した状態で両接続部を覆う絶縁部材を更に備えたものとしている。
【００１５】
また本発明の光源の組立構造においては、前記絶縁部材は、シリコンゴムを有しているものとしている。
【００１６】
また本発明のディスプレイにおいては、ハウジングと、このハウジングの中に設けられたパネルと、前記ハウジングに設けられた光源とを備えたディスプレイにおいて、前記光源は、前記ハウジングの中に設けられた光源本体と、この光源本体に電気的に接続された電極と、この電極に電気的に接続された第一の接続部と、この第一の接続部に電気的に接続された第二の接続部と、この第二の接続部に一端が電気的に接続されて他端側が前記ハウジングから突出した電線とを備え、前記第一の接続部と前記第二の接続部は螺合するように形成されたものとしている。
【００１７】
また本発明のディスプレイにおいては、前記第一の接続部はボルトであり、前記第二の接続部は前記ボルトに螺合するナットであるものとしている。
【００１８】
また本発明のディスプレイにおいては、前記第一の接続部はボルトであり、前記第二の接続部は前記ボルトの螺子山に螺合する螺子溝が内側に設けられたスリーブであるものとしている。
【００１９】
また本発明のディスプレイにおいては、前記第一の接続部はナットであり、前記第二の接続部は前記ナットに螺合するボルトであるものとしている。
【００２０】
また本発明のディスプレイにおいては、前記第一の接続部と前記第二の接続部が接続した状態で両接続部を覆う絶縁部材を更に備えたものとしている。
【００２１】
また本発明のディスプレイにおいては、前記絶縁部材は、シリコンゴムを有しているものとしている。
【００２２】
また本発明のディスプレイにおいては、前記電極と前記第一の接続部は、溶接によって電気的に接続されたものとしている。
【００２３】
また本発明のディスプレイにおいては、前記電極と前記第一の接続部は、加圧成型によって電気的に接続されたものとしている。
【００２４】
また本発明のディスプレイにおいては、前記電極と前記第一の接続部は、一体成型によって電気的に接続されたものとしている。
【００２５】
また本発明のディスプレイにおいては、前記電線と前記第二の接続部は、溶接によって電気的に接続されたものとしている。
【００２６】
また本発明のディスプレイにおいては、前記電線と前記第二の接続部とは、加圧成型によって電気的に接続されたものとしている。
【００２７】
また本発明のディスプレイにおいては、前記光源本体は、冷陰極蛍光管を備えたものとしている。
【００２８】
したがって本発明を要約すると、提供される光源の組立構造においては、第一の接続部と第二の接続部とを備えている。第一の接続部は光源本体に電気的に接続された電極に電気的に接続されており、また第二の接続部は電線に電気的に接続されている。そして第一の接続部と第二の接続部は、螺合して電気的に接続されるように形成されている。
【００２９】
また本発明の光源の組立構造においては、第一の接続部は螺子溝を有し、第二の接続部はこの螺子溝に螺合する螺子山を有している。あるいは第二の接続部は螺子溝を有し、第一の接続部は、この螺子溝に螺合する螺子山を有している。
【００３０】
また本発明の光源の組立構造においては、接続した状態の第一接続部と第二接続部とを覆う絶縁部材を更に備えており、この絶縁部材はシリコンゴムを有することができる。
【００３１】
また本発明のディスプレイにおいては、ハウジングと、パネルと、光源とを備えており、さらに光源は、光源本体と、電極と、第一の接続部と、電線と、第二の接続部とを備えている。
【００３２】
また本発明のディスプレイにおいては、光源本体はハウジングの中に設けられており、電極はこの光源本体に接続されている。また第一の接続部は電極に接続されており、第二の接続部は電線に接続されている。そして第一の接続部と第二の接続部は螺合して電気的に接続されるように形成されている。
【００３３】
また本発明のディスプレイにおいては第一の接続部がボルトまたはナットであり、第二の接続部は、ボルト、内側にネジを有するスリーブまたはナットであることができる。第一の接続部がボルトである時には、第二の接続部がこのボルトに螺合する螺子溝を内側に有したスリーブまたはナットであり、第一の接続部がナットである時には、第二の接続部がこのナットに螺合するボルトである。
【００３４】
また本発明のディスプレイにおいては、電極と第一接続部は溶接、加圧成型、または一体成型によって接続され、電線と第二接続部は溶接または加圧成型によって接続される。
【発明の効果】
【００３５】
本発明の光源の組立構造およびそれを用いたディスプレイによれば、光源の組立過程において、光源本体と電線とをはんだごてのような工具を必要とせずに両手を使って容易に接続することができる。よって、光源の組み立てにかかるコストを抑えることができる。またこの結果、液晶ディスプレイの製造コストも抑えることができる。
【００３６】
さらに光源本体と電線とを第一の接続部と第二の接続部の螺合によって接続することから、光源本体と電線とを、溶接技術のような正確さを要する特殊な技術を必要とせずに常にしっかりと接続することが可能になる。よって、光源を確実に組み立てることができる。
【００３７】
さらに第一の接続部と第二の接続部の螺合により光源を組み立てることから、光源を常温で組み立てることが可能になる。このため、光源の組立中に光源本体が破裂してしまうのを防ぐことができる。よって、光源を安全に組み立てることができる。
【００３８】
また光源を組み立てた状態では、接続した第一の接続部と第二の接続部の両方が絶縁部材によって覆われるため、漏電を防ぐことができる。
【００３９】
さらに光源は螺子（ボルトとナット）で組み立てられるため、低抵抗を提供することができる。
【００４０】
また光源を分解する際には、光源本体をねじ込む方向と逆の方向に回すだけで電線から外すことができる。よって、光源を容易に分解することができる。
【発明を実施するための最良の形態】
【００４１】
本発明についての目的、特徴、長所が一層明確に理解されるよう、以下に実施の形態を例示し、図面を参照にしながら、詳細に説明する。
【００４２】
第１の実施の形態：
【００４３】
図１は、本発明の第１の実施の形態を示す液晶ディスプレイ２の概略斜視図である。この液晶ディスプレイ２は、ハウジング２０と、ハウジング２０の中に設けられたパネル２２と、光源とを備えている。
【００４４】
さらにこの光源は、ハウジング２０の中に設けられた光源本体２４と、光源本体２４に電気的に接続された電極２８と、電極２８に接続手段を介して一端が電気的に接続された電線２６とを備えており、この電線２６の他端側はハウジング２０から突出されている。
【００４５】
また本実施の形態では光源本体２４として冷陰極蛍光管を使用している。また光源本体２４および電線２６はそれぞれ一つであるが、光源本体２４の数と電線２６の数は特に限定されない。
【００４６】
そして電極２８と電線２６の接続手段、すなわち本発明の光源の組立構造は、図２や図３に示すように、電極２８に電気的に接続された第一の接続部２３と、電線２６の一端に電気的に接続された第二の接続部２５とを備えており、両接続部２３、２５は電気的に接続されている。したがって、光源本体２４と電線２６とが両接続部２３、２５を介して電気的に接続され、これにより電線２６は光源本体２４に電力を供給するようになっている。
【００４７】
また第一の接続部２３は、溶接、加圧成型、または一体成型によって電極２８に接続されている。さらにこの第一の接続部２３は図３に示すようにボルトであって、外側には螺子山２３１が形成されている。
【００４８】
一方、第二の接続部２５は、溶接または加圧成型によって電線２６に接続されている。さらにこの第二の接続部２５は図３に示すようにスリーブまたはナットであって、内側２５１には第一の接続部２３（ボルト）の螺子山２３１と螺合するように螺子溝２５０が形成されている。
【００４９】
また第二の接続部２５には絶縁部材２９が設けられている。この絶縁部材２９はシリコンゴムを有しており、図２に示すように、第一の接続部２３と第二の接続部２５が接続した状態で両接続部２３、２５を覆うように形成されている。
【００５０】
かかる構成においては、第一の接続部２３がボルトで、第二の接続部２５が第一の接続部２３に螺合するナットである。したがって光源を組み立てる際には、光源本体２４と電線２６をそれぞれ両手に持ち、図３の矢印で示すように第一の接続部２３を第二の接続部２５内にねじ込む。この結果、両接続部２３、２５が螺合して光源本体２４と電線２６とが接続される。
【００５１】
このように本実施の形態の光源の組立構造では、光源の組立過程において、光源本体２４と電線２６とを、はんだごてのような工具を必要とせずに両手を使って容易に接続することができる。よって、光源の組み立てにかかるコストを抑えることができる。またこの結果、液晶ディスプレイ２の製造コストも抑えることができる。
【００５２】
さらに光源本体２４と電線２６とを第一の接続部２３と第二の接続部２５の螺合によって接続することから、光源本体２４と電線２６とを、溶接技術のような正確さを要する特殊な技術を必要とせずに常にしっかりと接続することが可能になる。よって、光源を確実に組み立てることができる。
【００５３】
さらに光源本体２４と電線２６との接続は、第一の接続部２３と第二の接続部２５の螺合によって達成されるため、光源を常温で組み立てることが可能になる。このため、光源の組立中に光源本体２４が破裂してしまうのを防ぐことができる。よって、光源を安全に組み立てることができる。
【００５４】
さらに光源はネジ（ボルトとナット）で組み立てられるため、低抵抗を提供することができる。
【００５５】
また光源を組み立てた状態では、接続した第一の接続部２３と第二の接続部２５の両方が絶縁部材２９によって覆われるため、漏電を防ぐことができる。
【００５６】
また光源を分解する際には、電線２６を片方の手に持ちながら片方の手で光源本体２４をねじ込む方向と逆の方向に回すだけで、電線２６から光源本体２４を外すことができる。よって、光源を容易に分解することができる。
【００５７】
なお、第一の接続部と第二の接続部の形状については、両接続部が螺合するものであれば本実施の形態のような接続部２３、２５の形状に限定されない。
【００５８】
第２の実施の形態：
【００５９】
図４は、本発明の第２の実施の形態を示す液晶ディスプレイの光源の分解図である。本実施の形態では、第１の実施の形態と同じ部分には同じ符号を付し、異なる部分を中心にして説明する。
【００６０】
本実施の形態では、第一の接続部１２３は、電極２８に溶接または一体成型によって接続されている。さらにこの第一の接続部１２３はスリーブまたはナットであって、内側１２３１には螺子溝１２３０が形成されている。
【００６１】
一方、第二の接続部１２５は、溶接または加圧成型によって電線２６に接続されている。さらにこの第二の接続部１２５はボルトであって、外側には第一の接続部１２３（ナット）の螺子溝１２３０と螺合するように螺子山１２５１が形成されている。
【００６２】
また第二の接続部１２５には絶縁部材１２９が設けられている。この絶縁部材１２９はシリコンゴムまたは類似材料を有しており、図２に示すように、第一の接続部１２３と第二の接続部１２５が接続した状態で両接続部１２３、１２５を覆うように形成されている。
【００６３】
かかる構成においては、第一の接続部１２３がナットで、第二の接続部１２５がボルトである。したがって光源を組み立てる際には、光源本体２４と電線２６をそれぞれ両手に持ち、図４の矢印で示すように第二の接続部１２５を第一の接続部１２３内にねじ込む。この結果、両接続部１２３、１２５が螺合して光源本体２４と電線２６とが接続される。
【００６４】
このように本実施の形態においては、第１の実施の形態と同様に、光源の組立過程において光源本体２４と電線２６とを両手を使って容易に接続することができ、光源の組み立てにかかるコストを抑えることができる。
【００６５】
さらに光源本体２４と電線２６とを螺合で接続させることから、溶接技術のような正確さを要する特殊な技術を必要とせずに常にしっかりと接続させることが可能になり、光源を確実に組み立てることができる。
【００６６】
さらに光源を常温で組み立てることが可能となるので、光源を安全に組み立てることができる。そして光源はネジ（ボルトとナット）で組み立てられるため、低抵抗を提供することができる。
【００６７】
また光源を組み立てた状態では、接続した両接続部１２３、１２５が絶縁部材１２９によって覆われるため、漏電を防ぐことができる。
【００６８】
また光源を分解する際には、光源本体２４をねじ込む方向と逆の方向に回すだけで電線２６から外すことが可能となるため、光源を容易に分解することができる。
【００６９】
なお第一の接続部と第二の接続部間の螺合の異なる組み合わせは可能である。これにより両接続部は回転可能に接続、または外すことができ、光源の再組み立てを容易に行うことができる。
【００７０】
以上、本発明の好適な実施の形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００７１】
以上説明したように本発明の光源の組立構造およびそれを用いたディスプレイによれば、コストをかけずに安全かつ確実に組み立てることができるとともに、容易に分解することができる。したがって、本発明をディスプレイの技術分野で十分利用することができる。
【図面の簡単な説明】
【００７２】
【図１】本発明の第１の実施の形態を示す液晶ディスプレイの概略斜視図である。
【図２】図１のＡ部の拡大図である。
【図３】同実施の形態における光源の分解図である。
【図４】本発明の第２の実施の形態を示す液晶ディスプレイの光源の分解図である。
【図５】従来の液晶ディスプレイを示す概略斜視図である。
【図６】従来の液晶ディスプレイの平面図である。
【図７】図６のＢ部の拡大図である。
【符号の説明】
【００７３】
２    液晶ディスプレイ
２０    ハウジング
２２    パネル
２３    第一の接続部
２４    光源本体
２５    第二の接続部
２６    電線
２８    電極
２９    絶縁部材
１２３    第一の接続部
１２５    第二の接続部
１２９    絶縁部材
２３１    螺子山
２５０    螺子溝
１２３０    螺子溝
１２５１    螺子山
【図１】
2006114478.tif 000003
【図２】
2006114478.tif 000004
【図３】
2006114478.tif 000005
【図４】
2006114478.tif 000006
【図５】
2006114478.tif 000007
【図６】
2006114478.tif 000008
【図７】
2006114478.tif 000009